(57)【要約】【課題】  フィルタ体の吸着能を低下させず、圧力損失を上昇させず、且つ装置の小型化を可能としたフィルタ装置を提供する。【解決手段】  一端面から反対側に位置する他端面に貫通して延びる多数の小孔が形成されて直方体状のフィルタ体６０と、小孔が開口する一端面および他端面が開放する空間が形成された状態にフィルタ体を収容するケース５３と、それぞれ断面矩形状に形成される一端面が開放する第１空間７１ａと他端面が開放する第２空間７１ｂとの少なくともいずれか一方に断面矩形の対角方向に延びて少なくとも１つ設けられて当該空間複数の仕切空間７２ａ，７２ｂ，７３ａ，７３ｂに仕切る仕切部材５４ａ，５４ｂとを有し、ケース５３内に第１空間７１ａと第２空間７１ｂとを往復する折返流路７０を形成する。【選択図】図１
2005230435.tif 000002
【特許請求の範囲】
【請求項１】
一端面から反対側に位置する他端面に貫通して延びる多数の小孔が形成されるとともに、前記小孔の内面に吸着材が設けられてなる直方体状のフィルタ体と、
前記フィルタ体を、前記一端面および前記他端面が開放する断面矩形状の空間を形成して収容するケースと、
前記一端面が開放する空間と前記他端面が開放する空間との少なくともいずれか一方に少なくとも１つ設けられて当該空間を複数の仕切空間に仕切る仕切部材とを有し、
前記仕切部材が前記空間の断面矩形の対角方向に延びて設けられており、
１つの前記仕切空間に開口する小孔が反対側の端面が開放する空間に開口し、前記反対側の端面が開放する空間に開口する残りの小孔が前記１つの仕切空間と前記仕切部材を介して隣り合う仕切空間に開口して前記１つの仕切空間が前記隣り合う仕切空間と前記小孔を介して連通し、
それぞれ連通した複数の前記仕切空間の一端の前記仕切空間に入口孔が設けられ、他端の前記仕切空間に出口孔が設けられ、
前記入口孔から前記出口孔に至って、前記一端面が開放する空間と前記他端面が開放する空間とを往復する折返流路が形成されることを特徴とするフィルタ装置。
【請求項２】
鋼球、メダル等の遊技媒体を介して遊技に供される遊技機において、前記遊技機の前面に設けられて前記遊技媒体の貯留部などを備える前覆部に喫煙用の灰皿が前面に突出して設けられており、
両端に開口を有して形成されて一端開口が前記灰皿の近傍に繋げられるとともに他端開口が前記入口孔に繋げられる管材と、前記入口孔から前記出口孔に流れる気流を形成する送風手段とが設けられ、
前記ケースが前記前覆部の背面側に配設されることを特徴とする請求項１に記載のフィルタ装置。
【請求項３】
前記遊技機は、前面開口を有して略矩形箱状に形成されるキャビネット部材の前記前面開口に開閉自在に前記前覆部を取り付けて成形される筐体内部に遊技装置が配設され、前記前覆部を閉鎖姿勢として遊技に供される箱型遊技機であって、
前記ケースが前記前覆部の背面側に配設されることを特徴とする請求項２に記載のフィルタ装置。
【請求項４】
前記フィルタ体は、有機物を吸着する吸着材が設けられてなる２種以上のフィルタ体が積層され、臭気成分を吸着する吸着材が設けられてなるフィルタ体を少なくとも１つを備えて構成されることを特徴とする請求項１〜３のいずれかに記載のフィルタ装置。
【発明の詳細な説明】
【技術分野】
【０００１】
一端面から反対側に位置する他端面に貫通して延びる多数の小孔が形成されるとともに、この小孔の内面に吸着材が設けられてなるフィルタ体を有して構成されるフィルタ装置に関する。
【背景技術】
【０００２】
上記フィルタ体には、例えば、粉末活性炭あるいは繊維状活性炭を湿式抄紙法により吸着剤混抄紙に加工し、この混抄紙から平坦なシートと断面波形状のシートを作成し、両シートを交互に積層接着することにより縦横方向に並ぶ複数の小孔を一端面から反対側の端面に貫通して延びるように形成したものがある。これら小孔はそれぞれが一軸方向に延びる独立した流路としての機能を果たしており、例えば有機ガスを含む汚染空気が一端面に開口する小孔に流入すると、小孔内を通過する過程で内面の活性炭に有機物質が捕集吸着され、反対側の端面の開口から清浄化された状態で流出する。このようなフィルタ体は、紙材であることから所望サイズへの加工が比較的容易であるとともに、抄紙する活性炭に例えば特定の薬品を坦持させて浄化対象物質の特化を図ることが可能である等の特長を有し、気相用途の吸着材として広く利用されている。
【０００３】
また、吸着剤混抄紙によって成形されるフィルタ体を気相用途の吸着材として用いて構成されるフィルタ装置は、このフィルタ体を収容するケース、ケース内に気流を形成して汚染空気をフィルタ体に導く送風ファンなどの送風手段などを取り付けて構成される。このようなフィルタ装置が組み込まれる換気機器を装備する施設として、例えばパチンコ機等の縦型遊技機、スロットマシン等の箱型遊技機を取り扱う遊技施設などがある。
【発明の開示】
【発明が解決しようとする課題】
【０００４】
上記遊技機は、前面を覆って設けられる前覆部に鋼球やメダル等の遊技媒体を受容貯留する貯留部、遊技操作を行うための操作部とともに喫煙用の灰皿が設けられており、喫煙しながら遊技を行う遊技者がしばしば見受けられるが、上記遊技施設においては限られたスペースに多数の遊技機を配置するために各遊技機が左右方向に近接立設されて遊技者間の間隔が狭く設定されているとともに、禁煙スペースを設定して１つのフロアを分煙化することが接客営業上困難であり、左右の遊技者の喫煙に伴う副流煙害に対する対策の要請が高まっている。また、防音あるいは空調の見地から閉空間であることが好ましく施設内に汚染空気が充満する傾向にあるといった問題もあり、施設全体に蔓延するタバコ臭に対する対策の要請も同様に高まっている。このような環境下にある遊技施設においては、天井および壁面、あるいは遊技機を設置する設置枠台（遊技島）に吸入口を設けた換気機器を導入する等の対策を講じているが、近接する左右の喫煙遊技者のタバコによる副流煙害に対しては依然として充分なものとはいえず、より効率的な空気清浄手段、脱臭手段が求められている。
【０００５】
さらに、上記換気機器に組み込まれるようなフィルタ装置を配設するにあたってレイアウト上の制約がある場合は、吸着能を低下させずに装置全体を小型化するためにフィルタ体の密度を高くするあるいは厚さを増やす等の対応がなされるが、このように装置を構成することによってフィルタ体を通過するときの圧力損失が大きくなることから送風ファンの出力性能を向上させなければならず、機械的騒音が大きくなるととともに製造コストが上昇してしまうという問題があった。
【０００６】
ところで、パチンコ機、スロットマシン等の遊技機の前覆部の背面側には、遊技機の動作を制御する電子回路を配置した遊技制御基板等の遊技装置が設けられている。これら基板は遊技中に電子回路が発した熱によって温度が上昇することにより、電子回路の誤作動あるいは耐用期間の短縮が起こり得るといった問題があった。特に、スロットマシン等の箱型遊技機においては、遊技中には密閉空間となる矩形箱状のキャビネット内に遊技装置が配設されていることから、基板の電子回路からの発熱が蓄積されやすい傾向にあり問題となっている。
【０００７】
上記問題に鑑みて本発明は、一端面から反対側に位置する他端面に貫通して延びる多数の小孔が形成されるとともに、この小孔の内面に吸着材が設けられてなるフィルタ体において、フィルタ体の吸着能を低下させず、圧力損失を上昇させず、且つ装置の小型化を可能としたフィルタ装置を提供することを目的とする。
【課題を解決するための手段】
【０００８】
上記目的達成のため本発明に係るフィルタ装置は、一端面から反対側に位置する他端面に貫通して延びる多数の小孔が形成されるとともに、これら小孔の内面に吸着材が設けられてなる直方体状のフィルタ体と、小孔が開口する一端面および他端面が開放する断面矩形状の空間を形成してフィルタ体を収容するケースと、一端面が開放する空間と他端面が開放する空間との少なくともいずれか一方に少なくとも１つ設けて当該空間を複数の仕切空間に仕切る仕切部材とを有して構成している。また、仕切部材を空間の断面矩形の対角方向に延びて設け、複数の仕切空間のうちの１つに開口する小孔が反対側の端面が開放する空間に開口し、反対側の端面が開放する空間に開口する残りの小孔がこの仕切空間と仕切部材を介して隣り合う仕切空間に開口し、それぞれの仕切空間が隣り合う仕切空間とフィルタ体の小孔を介して連通するように構成している。このようにして連通した複数の仕切空間の一端に入口孔を設け、他端に出口孔を設け、入口孔から出口孔に至って一端面が開放する空間と他端面が開放する空間とを往復する折返流路を形成している。
【０００９】
なお、鋼球、メダル等の遊技媒体を介して遊技に供される遊技機において、遊技機の前面に設けられて遊技媒体の貯留部などを備える前覆部に喫煙用の灰皿が全面に突出して設けられており、両端に開口を有して形成されて一端開口が灰皿の近傍に繋げられるとともに、他端開口が入口孔に繋げられる管材と、入口孔から出口孔に流れる気流を形成する送風手段とを設け、ケースを遊技機の前覆部の背面側に配設してもよい。
【００１０】
なお、上記遊技機は、前面開口を有して略矩形箱状に形成されるキャビネット部材の前面開口に開閉自在に前覆部を取り付けて成形される筐体内部に遊技装置が配設され、前覆部を閉鎖姿勢として遊技に供される箱型遊技機であって、ケースを前覆部の背面側に配設してもよい。
【００１１】
また、上記フィルタ体を、有機物を吸着する吸着材が設けられてなる２種以上のフィルタ体を積層し、臭気成分を吸着する吸着材が設けられてなるフィルタ体を少なくとも１つを備えて構成することが好ましい。
【発明の効果】
【００１２】
本発明に係るフィルタ装置は、フィルタ体をケーシングする際にフィルタ体の両側にフィルタ体の小孔の開口端面が開放する空間を形成し、この空間を仕切る仕切部材を設けて複数の仕切空間を形成し、これら複数の仕切空間を連通させて入口孔から出口孔に至ってフィルタ体の小孔と仕切空間を介して、フィルタ体の両側の空間を往復する折返流路を形成している。このような構成により、フィルタ装置に流入する流体をフィルタ体の小孔内に複数回数通過させることができ、装置内に流入する流体がフィルタ体の小孔内を通過する距離を伸ばすことができる。このため、フィルタ体を小孔が延びる方向に小さく形成しても吸着能を低下させずにフィルタ装置を製作することができ、フィルタ装置を小型化することができる。同時に、フィルタ体のサイズ縮小に際して密度を高くする必要もないためケース内での圧力損失の上昇も抑えられ、ファンの出力性能を過度に向上させる必要なくフィルタ装置を構成することができ、製作コストを抑えたフィルタ装置を提供することができる。さらに、小型化が可能となることによって、従来ではレイアウト上の問題から装置の配設が困難であったような狭小なスペースの周辺において、効率的な浄化を行うことができる。
【００１３】
また、本発明に係るフィルタ装置に用いられるフィルタ体の流路は一端面から他端面に延びる小孔により形成されており、これら小孔がそれぞれ内壁面を有した独立した流路を形成していることから、仕切部材はフィルタ体の両側に形成される空間のみを仕切るように設けていればよく、仕切部材はフィルタ体を貫通して設ける必要がない。このため、仕切部材の部材サイズを小さくして装置を製作することができるとともに、フィルタ体に切れ込みを入れたり細切れにする必要がなく単体（例えば、実施形態においては直方体状）で成形してフィルタ装置を構成することができる。これらのことから、フィルタ体の両側の空間を往復させる折返流路が形成されるフィルタ装置を簡便に製作できるとともに、製造コストを抑えたフィルタ装置を提供することができる。
【００１４】
また、仕切部材が設けられるフィルタ体の小孔の開口端面が開放する空間は断面矩形状に形成され、仕切部材はこの断面矩形の対角線方向に延びて設けられている。このため、仕切部材を例えばケースの側壁に平行に設けて仕切空間を矩形に形成するときと比べ、入口孔および出口孔の径を大きくとることができ、圧力損失の上昇を抑えることができる。このため、取り付けるファンの出力性能を過度に向上させずに装置を構成することができ、製造コストを抑えたフィルタ装置を提供することができる。
【００１５】
また、小型化が可能となった上記フィルタ装置は、前面に喫煙用灰皿が配設される遊技機の前覆部の背面側に配設することができる。フィルタ装置に入口孔から出口孔に流れる気流を形成するファンを取り付け、両端が開口した管材の一端開口を灰皿の近傍に繋げて他端開口を入口孔に繋げて装置を構成することにより、例えば、喫煙遊技者のタバコが灰皿に置かれて副流煙が立ち上るといった状況にあっても、灰皿近傍に繋げられた管材の開口からケースに副流煙が導かれる。このため、遊技機の前面側におけるより効率的な空気浄化を図ることができ、従来よりも快適な遊技環境を遊技者に提供することができる。
【００１６】
また、上記遊技機が、前覆部とキャビネットとを有してキャビネット内に遊技装置を配設して構成され、遊技中は前覆部を閉鎖姿勢としてキャビネット内が密閉される箱形遊技機である場合は、上記フィルタ装置をこの前覆部の背面側に配設することによってフィルタ体の小孔内を通過して清浄化した空気を密閉されたキャビネット内に放出することができる。これにより、箱型遊技機の前面側のより効率的な空気浄化を図ることができるとともに、清浄空気がキャビネット内に放出されることによってキャビネット内に配設される制御基板等の遊技装置の発熱を拡散させることができ、遊技装置の誤作動あるいは耐用期間の短縮の防止に寄与することができる。
【００１７】
また、上記フィルタ装置のフィルタ体は臭気成分の吸着に特化した活性炭を設けたフィルタ体を少なくとも備えて２種以上のフィルタ体を積層して構成している。このように、目的、用途に応じてフィルタ体を選択して積層構成することにより、フィルタユニットの機能性を向上させることができる。
【発明を実施するための最良の形態】
【００１８】
以下、本発明を実施するための形態について、図面を参照しながら説明する。
【実施例１】
【００１９】
本発明に係るフィルタ装置を配設する遊技機の一例として挙げるスロットマシンの全体的な構成について、図９，図１０を参照してまず説明する。このスロットマシンＳＭは、前面に矩形状の開口を有した略矩形箱状に形成されるキャビネット１と、このキャビネット１の左側縁部にスライドヒンジを介して開閉可能に取り付けられる前扉２とから構成される箱型遊技機の一種である。
【００２０】
キャビネット１は、図１０に側断面図を示すように矩形箱状に形成されており、キャビネット１内には、リール装置Ｒ、制御基板Ｂ、電源ボックスなどの遊技装置が配設される。前扉２は、キャビネット１の矩形状開口を覆う形状に形成されたフレームに、上パネル部２１、中パネル部２２、下パネル部２３を備えて成形されるとともに、遊技媒体である遊技メダルを受容、貯留する受け皿２４ａを有する受皿部２４、遊技操作のための操作部３０などを前面に設けて構成されている。
【００２１】
上パネル部２１には、背面に配設されるスピーカが発する効果音を正面側に放音するスリット状の放音部２１ａ、カラー画像を表示する液晶ディスプレイ等で形成され遊技状態に応じた画像表示を行う表示装置２１ｂなどが設けられている。
【００２２】
中パネル部２２には、キャビネット１内に配設されるリール装置Ｒの３つのリールＲａ，Ｒｂ，Ｒｃのそれぞれの外周面に描かれた図柄を所定範囲に限って視認可能に透過表示させる表示窓２２ａ、スロットマシンにクレジット状態となっているメダル数を表示するクレジット表示部２２ｂなどが配設されるとともに、遊技者が遊技操作するための操作部３０が下端に設けられる。
【００２３】
操作部３０には、遊技メダルを投入するメダル投入口３１、１回の遊技に消費するメダル枚数を決定するベットボタン３２、リールの回転起動操作を行うスタートレバー３３、３つのリールＲａ，Ｒｂ，Ｒｃに対応して設けられリールの回転停止をリールごとに操作可能なストップスイッチ３４ａ，３４ｂ，３４ｃ、獲得した遊技メダルの払出操作を行う精算スイッチ３５、メダル投入口３１から投入した遊技メダルを返却させるときに操作するメダル返却スイッチ３６などが設けられている。
【００２４】
下部パネル部２３には、本スロットマシンＳＭのゲーム内容に関連した画像等（図示略）が描かれている。さらに下部パネル２３の下方に遊技メダルを受容するための受皿部２４が設けられている。この受皿部２４は、上面が開放されて遊技メダルを貯留可能なメダル受け皿２４ａ、メダル払出装置から払い出される遊技メダルを前面に払い出すメダル払出口２４ｂ、背面側に配設されるスピーカが発する効果音を前面側に放音するパンチングメタル状の放音部２４ｃなどが設けられる。
【００２５】
また、受皿部２４においては、遊技者が喫煙しながら遊技を行えるように、上面を開放して形成される灰皿２４ｄがメダル受け皿２４ａの左側部に設けられている。さらに、この灰皿２４ｄの上方部には前後に貫通する丸孔（図示せず）が穿設されており、この貫通孔には図９に示すようにパンチングメタル５１が正面側から覆設されている。
【００２６】
このスロットマシンＳＭは、図９に正面図を示すように、キャビネット１および前扉２の互いの右側縁部に設けられる施錠装置により、常には前扉２を閉鎖姿勢とし、キャビネット１内部を密閉空間として遊技に供される。キャビネット１内は遊技中に密閉空間となって熱を蓄積しやすいため、図示するように例えばキャビネット１の背面には、熱を外部に放出するための排気孔１１が設けられている。
【００２７】
さて、図１〜図３に示すように構成される本発明に係るフィルタ装置が、上記スロットマシンＳＭの筐体に配設されている。ここで、図１〜図３の各図について予め概要説明すると、図１はフィルタ装置５０の分解図、図２はフィルタ装置５０の側面図、図３は図２に示す矢印III−III方向に見た断面図である。以下、これらの図面を参照してフィルタ装置５０の説明を行う。
【００２８】
フィルタ装置５０は、図１に分解した状態を示すように、中空矩形筒状に形成されて両端に開口部を有するケース５３、ケース５３内の略央部に収容されるフィルタ体６０、ケース５３の一端開口部５３ａを塞いで設けられて入口孔５５ｂが形成される第１カバー５５、ケース５３の一端開口部５３ｂからケース５３内に設けられて出口孔５６ｂが形成される第２カバー５６、ケース５３内におけるフィルタ体６０の両側に形成される空間を仕切る仕切板５４ａ，５４ｂ、ファン取付板５８に取り付けられてケース５３内に気流を発生させるファン５７とから構成され、吸入ダクト５２ａおよび排出ダクト５２ｂが設けられる。
【００２９】
フィルタ体６０は、第１フィルタ体６１と第２フィルタ体６２の２つを重ねて構成されている。第１及び第２フィルタ体６１，６２は、例えば、粉末状あるいは繊維状の活性炭を湿式抄紙法などの公知の手段によって活性炭シートに加工成形し、この活性炭シートから平坦なシートと断面波形状のシートとを作成して両シートを交互に積層接着することによって形成している。このように形成される第１及び第２フィルタ体６１，６２は、一端面から反対側に位置する他端面に貫通して延びる多数の小孔６１ａ，６２ａが形成されており、この小孔のそれぞれが汚染空気を流通させる流路としての機能を果たし、それぞれの内面で抄紙された活性炭による汚染物質の吸着が行われるようになっている。このようにして形成される第１及び第２フィルタ体６１，６２は、小孔６１ａ，６２ａが開口する両端面がケース５３内寸に同寸の直方体状に形成されており（例えば、それぞれ60mm×60mm×20mm）、両フィルタ体６１，６２の小孔が整合するように重ねられてフィルタ体６０が形成される。なお、第１フィルタ体６１に用いられる活性炭は、例えば公知技術に見られるようにモルホリン、ピペリジン等の低分子量の環状飽和第二級アミン等が坦持されてホルムアルデヒド、アセトアルデヒド等の低級アルデヒド類の吸着に特化したフィルタ体となっている。
【００３０】
ケース５３は、例えばフェノール樹脂、メラミン樹脂等の熱硬化性樹脂あるいはアルミ等の板金材によって製作されており、両側面に開口部５３ａ，５３ｂを有した中空の矩形筒状に形成されている（例えば、内寸：60mm×60mm）。なお、図１の紙面正面視左側、図２の紙面直交方向手前側の開口部を第１開口部５３ａ、反対側の開口部を第２開口部５３ｂと称して以降の説明を行う。
【００３１】
このケース５３の第１開口部５３ａには、第１カバー５５が覆って取り付けられ、第２開口部５３ｂには第２カバー５６がケース５３内部に嵌め込まれて取り付けられる。第１カバー５５は、矩形平板状の蓋部５５ａと、蓋部５５ａに円形状に設けられた入口孔５５ｂ、入口孔５５ｂから突出して設けられる円筒状のダクト連結部５５ｃとから形成され、ケース５３と同様にして例えばフェノール樹脂、メラミン樹脂等の熱硬化性樹脂あるいはアルミ等の板金材によって一体的に成形される。第２カバー５６は、矩形平板状の蓋部５６ａと、蓋部５６ａに円形状に設けられた出口孔５６ｂとから形成され、カバー５５と同様の成形手段によって一体形成される。
【００３２】
フィルタ体６０を、ケース５３内に小孔６１ａ，６２ａが開口する一端面をケース５３の開口部から嵌挿してケース５３内に収容して第１及び第２カバー５５，５６を取り付けると、ケース５３内にフィルタ体の小孔６１ａ，６２ａの開口端面を開放して入口孔５５ｂと繋がる第１空間７１ａと、出口孔５６ｂに繋がる第２空間７１ｂとが形成され、入口孔５５ｂと出口孔５６ｂとがこの第１及び第２空間７１ａ，７１ｂ及びフィルタ体の小孔６１ａ，６２ａを介して連通される。
【００３３】
また、第１及び第２空間７１ａ，７１ｂには、それぞれの空間を仕切る仕切板５４ａ，５４ｂが設けられている。本実施例において仕切板は２枚設けられており、第１仕切板５４ａによって第１空間７１ａは２つの空間に仕切られ、入口空間７２ａと第２折返空間７３ｂの２つの空間が形成される。同様にして第２仕切板５４ｂによって第２空間７１ｂは２つの空間に仕切られ、第１折返空間７３ａと出口空間７２ｂの２つの空間に分割される。
【００３４】
また、本実施例における仕切板５４は、図２に示すように、断面矩形状の第１及び第２空間７１ａ，７１ｂの対角線方向に平行に延びて配設されている。また、それぞれの仕切板５４には、仕切板５４を対角線方向に配設した際に、ケース５３内郭の頂角に係合する支持板５９が取り付けられている。このように支持板５９が取り付けられることにより、仕切板５４をケース５３に挿入するときの位置決めが容易化されるとともに、組付後の位置を固定安定化することができる。また、図３に示すように、入口空間７２ａの断面積Ｓ1と、出口空間７２ｂの断面積Ｓ2と、第１及び第２折返空間７３ａ，７３ｂとが重なって形成される六角形Ｓ3とは、それぞれの面積がほぼ等しくなるようにして第１及び第２仕切板５４ａ，５４ｂが配設されている。
【００３５】
入口孔５５ｂは入口空間７２ａに開口し、入口空間７２ａの三角形状の輪郭にほぼ内接するような位置と径で設けられる。同様に、出口孔５６ｂは出口空間７２ｂに開口し、出口空間７２ｂの三角形状の輪郭にほぼ内接するような位置と径で設けられる。
【００３６】
さらに、第２カバー５６の後方にはファン５７を取り付けた矩形平板状のファン取付板５８がケース５３の第２開口部を覆って取り付けられる。このファン取付板５８は、蓋部５８ａと、蓋部５８ａに円形状に開口形成される排出口５８ｂと、排出口５８ｂから突出する円筒状のダクト連結部５８ｃとから形成される。ファン５７を取り付けて出口孔５６ｂと排出口５８ｂとにファン５７が介設されるようにして第２開口部５３ｂを覆って取り付けられる。なお、ファン５７はキャビネット１内に配設される電源ボックスに接続され、スロットマシンＳＭの電源がオン状態にあるときは常にファン５７が駆動する。
【００３７】
吸入ダクト５２ａが第１カバーのダクト連結部５５ｃに連結され、排出ダクト５２ｂがファン取付具５６ｂのダクト連結部５８ｃに連結される。吸入ダクト５２ａの他端はパンチングメタル５１が覆設された灰皿２４ｄ近傍の貫通孔に背面から繋げられている。排出ダクト５２ｂの他端は、図１０に例示するようにキャビネット１内で開口するように配設されている。
【００３８】
このようにして組み付けられるフィルタ装置５０をスロットマシンＳＭの前扉２の背面に配設してファン５７を駆動させる。すると、吸入ダクト５２ａの灰皿近傍の開口から排出ダクト５２ｂのキャビネット内に配設される開口に至って気流が形成され、灰皿２４ｄ近傍の空気がパンチングメタル５１を通過して吸入ダクト５２ａ内に吸入される。ここで、スロットマシンＳＭの遊技者が遊技中に喫煙を開始して手にするタバコが灰皿２４ｄに置かれると、このタバコから発せられる副流煙がファン５７により作り出される気流に乗って吸入ダクト５２ａに流入し、入口孔５５ｂからケース５３内に導かれる。
【００３９】
入口孔５５ｂから入口空間７２ａに流入した空気は、入口空間７２ａに開口する第１フィルタ体の小孔６１ａ内に流入し第２フィルタ体の小孔内６２ａを通過し、第２空間側の第１折返空間７３ａへと導かれる。このとき小孔６１a，６２ａ内を通過する過程で煙に含まれる揮発性有機物、低級アルデヒド類が小孔内面の活性炭によって吸着される。入口空間７２ａから第１折返空間７３ａに流入した空気は、第１折返空間７３ａに開口する小孔のうち第１空間側で第２折返空間７３ｂに開口する小孔に流入して再び小孔内を通過して第２折返空間７３ｂに導かれる。さらに、第２折返空間７３ｂに導かれた空気は第２空間側で出口空間７２ｂに開口する小孔に流入し、小孔内を通過して出口空間７２ｂに導かれる。
【００４０】
このように、第１空間７１ａ内に設けられる第１仕切板５４ａにより仕切られて隣り合う入口空間７２ａと第２折返空間７３ｂとは、第２空間７１ｂ側の第１折返空間７３ａとフィルタ体の小孔６１ａ，６２ａとを介して連通し、第２空間７１ｂ内に設けられる第２仕切板５４ｂにより仕切られて隣り合う出口空間７２ｂと第１折返空間７３ａとは、第１空間７１ａ側の第２折返空間７３ｂとフィルタ体の小孔６１ａ、６２ａとを介して連通しており、入口空間７２ａから出口空間７２ｂに至って、第１及び第２折返空間７３ａ，７３ｂとフィルタ体の小孔６１ａ，６２ａを介して連通する折返流路７０が形成される。
【００４１】
出口空間７２ｂに導かれた空気は、出口孔５６ｂ、排出口５８ｂからケース５３外部へ放出されて排出ダクト５２ｂに導かれる。このようにして、入口空間７２ａに流入した空気は出口空間７２ｂに至るまでに、図３に破線矢印で示すように、第１及び第２折返空間内で方向転換されてフィルタ体の小孔６１ａ，６２ａ内を３度通過する折返流路７０を辿り、副流煙を含んだ空気は煙中の多種の揮発性有機物、低級アルデヒド類が吸着されて清浄化し、キャビネット１内に放出される。キャビネット１内に放出された清浄空気は排気孔１１からキャビネット１の外部に放出され、この過程で、例えば図１０に破線矢印Ｗで示すように、遊技制御基板Ｂなどの強制冷却が行われる。
【００４２】
このように、本発明に係るフィルタ装置５０によれば、フィルタ体６０を収容したケース５３の中に仕切板５４を２枚設けてフィルタ体の小孔６１ａ，６２ａ内を３回通過させる折返流路７０を形成している。このため、フィルタ体を通過する距離を従来よりも３倍確保することができ、フィルタ体６０を小孔が延びる方向にサイズを縮小して装置を構成することができるため、装置が小型化されてスロットマシンの前扉の背面といった狭小なスペースにおいても配設することができる。さらに、このような狭小なスペースに配設可能となったことより、スロットマシンの灰皿近傍の空気を清浄化することが可能となるなど、従来ではレイアウト上の問題から装置の配設が困難であったスペース周辺において、効率的な浄化を行うことができる。さらに、スロットマシンＳＭが配設される遊技施設においては、施設内にスロットマシンが近接立設されて左右の喫煙遊技者のタバコの副流煙害を被りやすい環境にあったが、本発明に係るフィルタ装置５０に繋げられる吸入ダクト５２ａの一端開口が灰皿２４ｄの近傍に開口するように設けられることによりこの害の軽減に寄与することができる。
【００４３】
また、本発明に係るフィルタ装置５０は、フィルタ体６０の複数の小孔６１ａ，６２ａがそれぞれ内壁面を有した独立した流路として形成されていることから、仕切板５４は第１及び第２空間７１ａ，７１ｂ内をのみを仕切るように設けられていればよい。このため、仕切板５４はフィルタ体６０を貫通して設ける必要がなく、仕切板５４の部材サイズを小さくして装置を構成することができるとともに、フィルタ体６０に切り込みを入れたり細切れにする必要がなくフィルタ体６０を成形することができる。これらのことから、フィルタ体６０の両側の空間を往復させる折返流路が形成されるフィルタ装置の製作が容易となるとともに、製造コストを抑えてフィルタ装置を製作することができる。
【００４４】
なお、この仕切板５４は、入口空間７２ａと、出口空間７２ｂと、第１折返空間７３ａ及び第２折返空間７３ｂが重なって形成される六角形の断面積がほぼ等しくなるように設けられている。すなわち、入口空間７２ａから第１折返流路７３ａまでの流路の断面積と、第１折返流路７３ａから第２折返流路７３ｂまでの流路の断面積と、第２折返流路７３ｂから出口空間７２ｂまでの流路の断面積とが等しく構成されており、折返流路７０に過度の圧力損失が生じることを防ぐことができる。同時に、仕切板５４は第１及び第２空間の断面矩形の対角線方向に延びて設けられている。このため、仕切板５４を例えばケース５３の側壁に平行に設けて仕切空間を矩形に形成するときと比べ、仕切空間に開口する入口孔５５ｂおよび出口孔５６ｂの径を大きくとることができ、圧力損失の上昇を抑えることができるとともに取り付けるファンの選択自由度を増すことができる。
【００４５】
また、本実施例のようにスロットマシンＳＭの前扉２の背面に配設される場合においては、遊技中に密閉空間となるキャビネット１内に清浄化した空気を放出することにより遊技装置の稼動に伴って発せられる熱を拡散させることができ、この熱によって生じるおそれのある制御基板等の遊技装置の誤作動の防止に寄与することができる。
【００４６】
また、フィルタ体６０は、低級アルデヒド類の吸着に特化して成形された第１フィルタ６１と、揮発性の有機物質を多種にわたって吸着可能に成形された第２フィルタ６２とを積層して構成しているため、タバコの煙に含まれる多種の有機物質を吸着可能であるとともに、タバコの悪臭成分であるホルムアルデヒド、アセトアルデヒドなどを確実に吸着することが可能で、排出ダクト５２ｂからは有害な有機物質等が除去されるとともに消臭された清浄空気が放出される。このように、本発明に係るフィルタ装置５０によれば、目的、用途に応じて２種以上のフィルタ体を選択して積層構成することによって、装置の機能性を向上させることができる。また、本実施例のように密閉空間に放出される場合であっても、この密閉空間内に悪臭成分が充満することが防がれる。
【００４７】
なお、本実施例においては、フィルタ体を直方体状に形成するとともに、ケースを矩形筒状に形成して本発明に係るフィルタ装置を構成している。このような構成により、例えばフィルタ体を円柱状に、ケースを円筒状に形成して構成する場合と比べて、精度を過度の向上させなくとも圧力損失を上昇させずに装置を構成することが可能となり、製作コストを抑えたフィルタ装置を提供することができる。
【００４８】
なお、本発明に係るフィルタ装置は、例えば図４，図５に示すように、仕切板の枚数を変更して構成してもよい。図４，図５に示すフィルタ装置１００は、仕切板１０４を第１空間７１ａ内にのみ１枚設ける構成としており、この仕切板１０４によって第１空間は入口空間１２２ａと出口空間１２２ｂとに仕切られ、入口空間１２２ａと出口空間１２２ｂとは、第２空間７１ｂとフィルタ体の小孔６１ａ，６２ａとを介して連通され、第２空間７１ｂ内で折り返す折返流路１２０が形成される。このようにして本構成例によるフィルタ装置１００は、入口空間と出口空間が同じ空間（本実施例においては第１空間）側に形成されるため、吸入ダクト５２ａのダクト連結部１０５ｂと排出ダクト５２ｂのダクト連結部１０５ｃがケース５３の同一の開口部に同一方向に延びて形成される。このため、反対側の開口部に設けられるカバー１０６は矩形平板状に形成される。
【００４９】
このようにして構成されるフィルタ装置１００にあっても上述実施例と同様にして、ダクト５２ａを介してケース５３内に流入した遊技者の喫煙するタバコの煙が、入口空間１２２ａから出口空間１２２ｂに至るまでにフィルタ体の小孔６１ａ，６２ａ内を２回通過する折返流路１２０が形成され、この通過過程で揮発性有機物、悪臭成分が吸着され、排出ダクト５２ｂから清浄な空気がスロットマシンＳＭのキャビネット１内に放出される。
【００５０】
なお、本発明に係るフィルタ装置５０に設けられる仕切板５４の個数は、上述の実施例のように１あるいは２枚に限られず３枚以上設けて構成してもよい。このときｎ枚（ｎ≧３）の仕切板を設けるとすると、上述実施例と同様に第１仕切板を第１空間７１ａに設け、第２仕切板を第２空間７１ｂに設け、続けて以下同様にして、第１及び第２空間に仕切板交互に設けて第ｎ仕切板を設け、入口空間から出口空間に至るまで、ｎ個の折返空間で方向を折り返される折返流路が形成される。このように本発明に係るフィルタ装置を構成しても、フィルタ装置に備えられるフィルタ体を小孔が延びる方向にサイズを縮小して装置を小型化できる等、同様の効果を得ることができる。
【００５１】
なお、上記の仕切板を１枚設けた例を示したように、奇数枚の仕切板５４を設けることによって吸入ダクト５２ａ及び排出ダクト５２ｂを同一方向に延びるように構成することができる。このため、ダクト、ファンなどが配設されない第２空間側におけるケース５３の形状を、例えば本実施例においてはキャビネットボックス１の内郭に整合させた矩形箱状に形成することによって内壁隈部に収容配設することが可能となるなど、装置の配設自由度を増すことができる。
【実施例２】
【００５２】
続いて、図６〜図８に、他の構成例によって構成される本発明に係るフィルタ装置を示しており、以下、これら両図を参照して簡潔に説明する。ここで、図６は本構成によるフィルタ装置の分解斜視図、図７はこのフィルタ装置に装填されるフィルタユニットの斜視図、図８は図８中にVIII−VIII矢視方向に見た断面図である。なお、本構成のフィルタ装置１５０について要約すれば、上記実施例と同様のフィルタ体６０の側面を側覆紙１６３で覆い、フィルタ体の小孔６１ａ，６２ａが開口する端面をそれぞれ第１仕切蓋１６５及び第２仕切蓋１６６で小孔６１ａ，６２ａが開口する端面が開放する空間が形成されるように覆うことによりフィルタ体６０をパッケージ化してフィルタユニット１６０を形成し、このフィルタユニット１６０を上面開放のケース１５３に装填して構成されている。なお、このフィルタ装置１５０は前述同様のスロットマシンＳＭの前扉２の背面に配設されるものとしており、上述の実施形態と同様部分には同一番号を付して重複説明を省略し、相違する部分を中心に説明する。
【００５３】
本構成例のフィルタユニット１６０は、上述のケース５３、仕切板５４、第１及び第２カバー５５，５６に相当する部材を第１及び第２フィルタ体６１，６２と同様の紙材で成形して一体的に取り付け、フィルタ体をパッケージ化したものである。フィルタ体は、上述実施例で用いた第１及び第２フィルタ６１，６２を同様に両フィルタの小孔６１ａ，６２ａが整合するようにして積層して構成している。
【００５４】
このフィルタ体６０の側面には、フィルタ体の小孔６１ａ，６２ａが開口する端面が開放される状態となるように、紙材によって形成された側覆紙１６３が筒状に覆って設けられている。この筒状に設けた側覆紙１６３の両端開口を覆って、同様に紙材で形成された第１仕切蓋１６５および第２仕切蓋１６６が設けられる。このように、フィルタ体の小孔６１ａ，６２ａが開口する端面が開放する空間（第１空間１７１ａ、第２空間１７１ｂ）が形成される。なお、第１及び第２仕切蓋１６５，１６６は、それぞれ第１及び第２空間の一部を開放するように一部切り欠かれて形成されている。
【００５５】
また、第１及び第２空間１７１ａ，１７１ｂを形成する第１及び第２仕切蓋１６５，１６６は孔６１ａ，６２ａが開口する端面に向かって垂直に折り返されており、折り返されることによって第１及び第２空間がそれぞれ２つの空間に仕切られる。第１仕切蓋１６５が折り返されて形成される第１仕切部１６４ａによって第１空間１７１ａは、第１仕切蓋が切り欠かれて小孔６１ａが開放される第１開放空間１７２ａと、第１仕切蓋により閉塞した第２閉塞空間１７３ｂとに仕切られる。第２仕切蓋１６６が折り返されて形成される第２仕切部１６４ｂによって第２空間１７１ｂは、第２仕切蓋が切り欠かれて小孔６２ａが開放される第２開放空間１７２ｂと、第２仕切蓋により閉塞した第１閉塞空間１７３ａとに仕切られる。
【００５６】
このようにして形成されるフィルタユニット１６０は、第１開放空間１７２ａに開口する小孔が第２空間側で第１閉塞空間１７３ａに開口し、第１閉塞空間１７３ａに開口する残りの小孔が第１空間側で第２閉塞空間１７３ｂに開口し、第２閉塞空間１７３ｂに開口する残りの小孔が第２空間側で第２開放空間１７２ｂに開口する。このように、第１仕切部１６４ａで仕切られて隣り合う第１開放空間１７２ａと第２閉塞空間１７３ｂとは、第２空間１７１ｂ側の第１閉塞空間１７３ａとフィルタ体の小孔６１ａ，６２ａを介して連通し、第２仕切部１６４ｂで仕切られて隣り合う第２開放空間１７２ｂと第１閉塞空間１７３ａとは、第１空間１７１ａ側の第２閉塞空間１７３ｂとフィルタ体の小孔６１ａ，６２ａを介して連通しており、第１仕切蓋１６５を切り欠いて形成される開口部１６５ｂからから第２仕切り蓋１６６を切り欠いて形成される開口部１６６ｂに至って第１及び第２閉塞空間１７３ａ，１７３ｂ及び小孔６１ａ、６２ａとを介して連通する折返流路１７０がフィルタユニット１６０内に形成される。
【００５７】
上記フィルタユニット１６０は、ケース１５３に収容される。このケース１５３は、外形が上面を開放した矩形箱状に形成され、上述実施例のケース５３と同様にして例えばフェノール樹脂、メラミン樹脂等の熱硬化性樹脂あるいはアルミ等の板金材によって製作される。また、ケース１５３の内部は２枚の板材１５５，１５６によって左から順に流入空間１７４、収容空間１７５、流出空間１７６の３つの空間が形成されている。なお、真中の収容空間１７５はフィルタユニット１６０を上面から嵌入させてちょうど整合する寸法に形成されている。なお、左板１５５には開口部１５５ｂ、右板１５６には開口部１５６ｂがそれぞれ設けられており、フィルタユニット１６０が収容される収容空間１７５と流入空間１７４及び流出空間１７６とがそれぞれ連通するように形成されている。
【００５８】
ケースの左端面１５３ａは、流入空間１７４に開口する円筒状のダクト連結部１５３ｃが外方に突出して設けられており、吸入ダクト５２ａを連結可能に形成されている。同様にしてケースの右側面１５３ｂにおいても、流出空間１７６に開口する円筒状のダクト連結部１５３ｄが外方に突出して設けられ、排出ダクト５２ｂを連結可能に形成されている。
【００５９】
また、ファン５７が、流出空間１７６内に開口部１５６ｂとダクト連結部１５３ｄとの間に介設されている。なお、上述実施例と同様にしてファン５７は、キャビネット１内の電源ボックスに接続され、スロットマシンＳＭの電源がオン状態であるときに稼動するように構成されている。
【００６０】
このようにして構成される本構成例によるフィルタ装置１５０を、上述実施例と同様にして、ケースの１５３の収容空間１７５内にフィルタユニット１６０を収容して左板１５５の開口部１５５ｂを第１開放空間１７２ａに繋げるとともに右板１５６の開口部１５６ｂを第２開放空間１７２ｂに繋げ、ケース１５３の上面開放部を蓋材（図示せず）で覆って密閉したケース１５３をスロットマシンＳＭの前扉２の背面側に配設し、吸入ダクト５２ａの他端を灰皿２４ｄに設けられた貫通孔に繋げ、排出ダクト５２ｂの他端をキャビネット１内で開口させる。
【００６１】
電源ボックスの電源がオン状態となってスロットマシンＳＭが遊技に供されると、ファン５７が駆動し、吸入ダクト５２ａから排出ダクト５２ｂに流れる気流が形成され、灰皿２４ｄの周辺空気がパンチングメタル５１を通過して吸入ダクト５２ａ内に導かれ、ケース１５３の流入空間１７４内に流入する。
【００６２】
流入空間１７４内に流入した空気は、開口部１５５ｂから収容空間１７５内に導かれてフィルタユニット１６０の第１開放空間１７２ａに流入して第２開放空間１７２ｂに至るまで、第１及び第２閉塞空間とフィルタ体の小孔６１ａ，６２ａとを介して形成される折返流路１７０を通過して、第２開放空間１７２ｂに導かれる。
【００６３】
第２開放空間１７２ｂに導かれた空気は、フィルタ体の小孔６１ａ，６２ａ内を通過する過程で小孔の内面に揮発性有機物、悪臭成分が吸着され、清浄化された状態となって流出空間１７６に流入して排出ダクト５２ｂに導かれ、キャビネット１内に放出される。
【００６４】
このように、上述実施例と同様にして、図８の破線矢印に示すように、第１及び第２閉塞空間内１７３ａ，１７３ｂで流路が折り返されてフィルタ体の小孔６１ａ，６２ａ内を３回通過する折返流路１７０を収容空間１７５内に形成することができ、小孔６１ａ，６２ａが延びる方向にサイズを縮小して装置を小型化することができる。
【００６５】
フィルタユニット１６０は、折返流路１７０を形成するためのフィルタ体の小孔が開口する端面が開放する空間を形成する部材、これらの空間を仕切る部材を一体的に設けている。折返流路の折り返し回数などを変更するときには、ケース側の部材を組み付け交換する必要がなく、所望の折り返し回数に流路が形成されたフィルタユニット１６０に取り替えるのみで対応することができる。
【００６６】
本構成によるフィルタ装置１５０は、フィルタ体６０と同様にして紙材で形成される側覆紙１６３と、第１及び第２仕切蓋１６５，１６６とをフィルタ体６０の外側面に設けた一体のフィルタユニット１６０を備えて構成される。このため、フィルタユニット１６０の交換時に分解分別等を必要とせずフィルタ体６０とともにそのまま廃棄処分して燃焼処理できる等、処理コストを抑えることができる。
【００６７】
なお、上述した各構成形態においてファン５７が、スロットマシンＳＭの電源ボックスのオン状態で常に駆動する形態を例示したが、間欠的に駆動するように制御してもよく、例えば一定時間間隔で稼動状態と停止状態とを繰り返す制御を行ってもよい。また、遊技状態にあるか否かにほぼ連動させるように、例えば、スロットマシンの遊技メダルがクレジットされている状態のときに駆動させる制御を行ってもよいし、スタートレバーにセンサとタイマを配設してスタートレバーが叩かれたら駆動を開始させてレバーが叩かれて一定時間が経過すると停止させるような制御を行ってもよい。また喫煙状態にあるか否かにほぼ連動させるように、例えば、受皿部２４における灰皿２４ｄの近傍に煙センサあるいは温度センサを配設してセンサの検出信号に基づいて制御する方法としてもよい。このような間欠駆動制御により、本発明に係るフィルタ装置においてファン５７およびフィルタ体６０の耐用期間を延長させることができる。
【００６８】
なお、上述した各構成形態において、フィルタ装置の空気流路のいずれかの位置、例えばファンの前後いずれかに、冷却装置（例えば、小型の電子冷却器等）を取り付けて構成することが好ましい。このような構成とすることにより、排出ダクトから放出される空気温度を下げることができ、例えばスロットマシンの前扉の背面に配設される場合においてはキャビネット内に蓄積される熱をより効果的に拡散させることができる。
【００６９】
なお、上述した各構成形態では、本発明に係るフィルタ装置を、箱型遊技機であるスロットマシンＳＭの前扉２の背面側に配設して例示したが、パチンコ機等の縦型遊技機の前面を覆って設けられる遊技盤や球皿等の背面側に設けても同様に適用し同様の効果を得ることができる。さらに、遊技機のみの適用に限られず、従来レイアウト上の問題から装置を配設することが困難であった他の狭小なスペースにおいても同様に適用し同様の効果を得ることができる。また、このような小型のフィルタ装置に適用に限られず、大型の換気機器のフィルタ部として用いることも可能で同様の効果を得ることができる。
【図面の簡単な説明】
【００７０】
【図１】第１の実施例における本発明に係るフィルタ装置の分解斜視図である。
【図２】第１の実施例における本発明に係るフィルタ装置の仕切部材を示す平面図である。
【図３】第１の実施例における本発明に係るフィルタ装置において図２の矢印III−IIIに沿って示す断面図である。
【図４】第１の実施例における本発明に係るフィルタ装置の変更例を示す平面図である。
【図５】図４の矢印V−Vに沿って示す断面図である。
【図６】第２の実施例における本発明に係るフィルタ装置の分解斜視図である
【図７】第２の実施例における本発明に係るフィルタ装置のフィルタユニットの外観図である
【図８】図７の矢印VIII−VIIIに沿って示す断面図である。
【図９】本発明に係るフィルタ装置を備える遊技機の一例として挙げるスロットマシンの正面図である。
【図１０】上記スロットマシンの側断面図である。
【符号の説明】
【００７１】
ＳＭ  スロットマシン
Ｂ  制御基板
Ｒ  リール装置
（Ｒａ  左リール、Ｒｂ  中リール、Ｒｃ  右リール）
Ｗ  放出空気
１  キャビネット
２  前扉
２０  フロントマスク
２１  上パネル
（２１ａ  放音部、２１ｂ  演出表示装置）
２２  中パネル
（２２ａ  透過窓、２２ｂ  メダル数表示部）
２３  下パネル
２４  受皿部
（２４ａ  メダル受け皿、２４ｂ  メダル払出口、２４ｃ  放音部、２４ｄ  灰皿）
３０  操作部
３１  メダル投入口
３２  ベットボタン
３３  スタートレバー
３４  ストップスイッチ
（３４ａ  左スイッチ、３４ｂ  中スイッチ、３４ｃ  右スイッチ）
３５  精算スイッチ
３６  メダル返却スイッチ
５０  フィルタ装置
５１  パンチングメタル
５２  ダクト
（５２ａ  吸入ダクト、５２ｂ  排出ダクト）
５３  ケース
（５３ａ  第１開口部、５３ｂ  第２開口部）
５４  仕切板
（５４ａ  第１仕切板、５４ｂ  第２仕切板）
５５  第１カバー
（５５ａ  蓋部、５５ｂ  入口孔、５５ｃ  ダクト連結部）
５６  第２カバー
（５６ａ  蓋部、５６ｂ  出口孔）
５７  ファン
５８  ファン取付具
（５８ａ  蓋部、５８ｂ  ダクト連結部）
５９  支持板
６０  フィルタ体
６１  第１フィルタ
（６１ａ  小孔）
６２  第２フィルタ
（６２ａ  小孔）
７０  折返流路
７１ａ  第１空間、７１ｂ  第２空間
７２ａ  入口空間、７２ｂ  出口空間
７３  折返空間
（７３ａ  第１折返空間、７３ｂ  第２折返空間）
１００  フィルタ装置
１０４  仕切板
１０５  第１カバー
（１０５ａ  蓋部、１０５ｂ  ダクト連結部、１０５ｃ  ダクト連結部）
１０６  第２カバー
１２０  折返流路
１２２ａ  入口空間、１２２ｂ  出口空間
１５０  フィルタ装置
１５３  ケース
（１５３ａ  左側面、１５３ｂ  右側面、１５３ｃ，１５３ｄ  ダクト連結部）
１５５  左板
（１５５ｂ  開口部）
１５６  右板
（１５６ｂ  開口部）
１６０  フィルタユニット
１６３  側覆紙
１６４  仕切部
（１６４ａ  第１仕切部、１６４ｂ  第２仕切部）
１６５  第１仕切蓋
（１６５ｂ  開口部）
１６６  第２仕切蓋
（１６６ｂ  開口部）
１７０  折返流路
１７１ａ  第１空間、１７１ｂ  第２空間
１７２ａ  第１開放空間、１７２ｂ  第２開放空間
１７３ａ  第１閉塞空間、１７２ｂ  第２閉塞空間
１７４  流入空間
１７５  収容空間
１７６  流出空間
【図１】
2005230435.tif 000003
【図２】
2005230435.tif 000004
【図３】
2005230435.tif 000005
【図４】
2005230435.tif 000006
【図５】
2005230435.tif 000007
【図６】
2005230435.tif 000008
【図７】
2005230435.tif 000009
【図８】
2005230435.tif 000010
【図９】
2005230435.tif 000011
【図１０】
2005230435.tif 000012